(57)【要約】【課題】  リアプラテンの倒れの調整を、安価で、簡単な構成によりできるようにする。【解決手段】  リアプラテン３の下部両側にリアプラテン移動方向に沿って２以上のジャッキアップボルト１７を設ける。ジャッキアップボルト１７はリアプラテン３に設けられたボルト穴２１と螺合し、かつその下面をスライドプレート１５の上面に当接させてリアプラテン３を支持する。ジャッキアップボルト１７の設けられた挿通穴に固定ボルト１８を挿入し、スライドプレート１５に設けたタップ穴２２と螺合させてリアプラテン３、スライドプレート１５を一体化する。リアプラテン３はスライドプレート１５に支えられて移動する。リアプラテン３の倒れを調整するときは固定ボルト１８を緩めジャッキアップボルト１７を回動させて、リアプラテン３とスライドプレート１５間の距離ｄ１，ｄ２を調整することによって行う。簡単で安価な構成によりリアプラテンの倒れを調整できる。【選択図】          図２
2005289002.tif 000002
【特許請求の範囲】
【請求項１】
射出成形機のトグル式型締機構であって、射出成形機のベースフレームに対して摺動自在に設けられたスライドプレートと、前記トグル式型締機構を構成するリアプラテンの下部の両側に該リアプラテンの移動方向に沿って２個所以上に螺合して取り付けられたジャッキアップボルトとを設け、該ジャッキアップボルトの下面が前記スライドプレートに設けられた係合穴の底面に当接してリアプラテンを支持するようにしたことを特徴とする射出成形機のトグル式型締機構。
【請求項２】
射出成形機のトグル式型締機構であって、射出成形機のベースフレームに対して摺動自在に設けられたスライドプレートと、前記トグル式型締機構を構成するリアプラテンの下部の両側に該リアプラテンの移動方向に沿って２個所以上に螺合して取り付けられたジャッキアップボルトとを設け、前記ジャッキアップボルトの中心に固定ボルトを挿通させる貫通穴を設けると共に、前記スライドプレートに前記固定ボルトと螺合するタップ穴が設けられ、前記ジャッキアップボルトの下面が前記スライドプレート面に当接してリアプラテンを支持させると共に、前記固定ボルトでジャッキアップボルトとスライドプレートが固定されていることを特徴とする射出成形機のトグル式型締機構。
【発明の詳細な説明】
【技術分野】
【０００１】
本発明は、射出成形機の型締機構に関し、特に、型締機構の一部を構成するリアプラテンの倒れ防止に関する。
【背景技術】
【０００２】
射出成形機においては、固定プラテンに固定側金型を取り付け、可動プラテンに可動側金型を取り付けて可動プラテンを固定プラテン方向に移動させることによって、金型の開閉と型締めを行うものである。そのため、固定側金型面と可動側金型面とを平行に移動させて金型の開閉、型締めを行う必要があり、可動プラテンを固定プラテンに平行に移動させる必要がある。この固定プラテンと可動プラテンの平行度が崩れると、当然固定側金型と可動側金型の平行度がずれ、成形品の精度に影響がでる。
【０００３】
そのため、高精度の成形品を得るためには、型開閉動作に伴う可動プラテンの固定プラテンに対する平行度を保持し、この平行度のずれを抑える必要がある。  
この平行度のずれを抑え調整する方法として、従来、可動プラテンを支持するローラやすべり軸受け等を調整することによって可動プラテンの倒れ（可動プラテンの進行方向への傾き）を矯正して、可動プラテンと固定プラテン間の平行度を保持するようにした調整方法が採用されている。  
但し、トグル機構を用いたトグル式型締機構の場合には、より高精度に固定プラテンと可動プラテン間の平行度を維持するために、可動プラテンの倒れに加えてリアプラテンの倒れをも矯正する必要がある。
【０００４】
リアプラテンとトグル機構全体の重心位置は、トグルリンク等のトグル機構部品の影響で可動プラテン側にずれている。そのため、リアプラテンは可動プラテン側に倒れる傾向にある。このリアプラテンの倒れは、固定プラテンとリアプラテン間に設けられ、可動プラテンをガイドするタイバーやトグルリンクを通して可動プラテンの倒れに影響を与える。又、リアプラテンが倒れた状態のまま無理に可動プラテンを支持するローラやすべり軸受け等で可動プラテンの倒れを矯正した場合、リアプラテンと可動プラテンの平行度が崩れ、タイバーやトグル機構の機構部品に偏荷重が作用し、偏摩耗を引き起こしやすいため、固定プラテンと可動プラテン間の平行度にずれが生じることになる。
【０００５】
この可動プラテンの倒れの調整については、リニアガイド装置に固定された軸受けに可動プラテンを支持した偏心軸が設けられ、この偏心軸により、可動プラテンの倒れを調整する方法が知られている。又、この可動プラテンの倒れの調整と同じ調整をリアプラテンに対しても行うことも知られている（特許文献１参照）。
【０００６】
【特許文献１】特開平９−２６２８８４号公報
【発明の開示】
【発明が解決しようとする課題】
【０００７】
上述したように、リアプラテンの倒れは、結果的に可動プラテンと固定プラテンの平行度に影響を与える。そこで、特許文献１に記載されているようなリニアガイド装置と偏心軸により倒れの矯正を行う場合、リニアガイド装置が大型化・複雑化するという問題がある。型締め時のリアプラテンの変形による鉛直方向の荷重に耐えるだけの構造にする必要があるため、リニアガイド装置を用いると、このリニアガイド装置をこの荷重に耐えるだけのものにする必要があり、大型化し、複雑な構造としなければならず、コストアップになる。可動プラテンのように高速で移動するものであれば、リニアガイド装置を用いることも考えられる。前述の特許文献１では、可動プラテンに対して、リニアガイド装置と偏心軸による可動プラテンの倒れの調整が記載され、この調整方法をリアプラテンにも適用可能であることが記載されているのみである。しかし、リアプラテンは高速で移動しないものであるから、高価になるリニアガイド装置を用いる必要性は乏しい。
【０００８】
そこで、本発明の目的は、リアプラテンの倒れを安価で簡単な構成で調整できる射出成形機の型締め機構を提供することにある。
【課題を解決するための手段】
【０００９】
本願請求項１に係わる発明は、射出成形機のトグル式型締機構であって、射出成形機のベースフレームに対して摺動自在に設けられたスライドプレートと、前記トグル式型締機構を構成するリアプラテンの下部の両側に該リアプラテンの移動方向に沿って２個所以上に螺合して取り付けられたジャッキアップボルトとを設け、該ジャッキアップボルトの下面が前記スライドプレートに設けられた係合穴の底面に当接してリアプラテンを支持する。ジャッキアップボルトを調整することによって、リアプラテンとスライドプレート間の距離を調整してリアプレートの倒れを調整する。  
又、請求項２に係わる発明は、さらに、前記ジャッキアップボルトの中心に固定ボルトを挿通させる貫通穴を設けると共に、前記スライドプレートに前記固定ボルトと螺合するタップ穴が設けられ、前記ジャッキアップボルトの下面が前記スライドプレート面に当接してリアプラテンを支持すると共に、前記固定ボルトでジャッキアップボルトとスライドプレートを固定することにより金型開閉時の微振動に対してもリアプラテンの姿勢を安定的に保持するようにした。この場合、ジャッキアップボルトとスライドプレートは固定ボルトで一体的となるから、スライドプレートに必ずしも係合穴を設ける必要はない。
【発明の効果】
【００１０】
本発明は、簡単な構成で且つ低コストで、リアプラテンの倒れを矯正できる。さらに、金型開閉時の安定性も増すことができ、高精度の成形品を成形できる型締め機構を得ることができる。
【発明を実施するための最良の形態】
【００１１】
本発明の一実施形態について図面と共に説明する。  
図１は、本発明の一実施形態の型締機構の概要説明図である。射出成形機のベースフレーム１には、固定プラテン２が固定されている。該固定プラテン２とリアプラテン３が複数のタイバー５によって連結されている。この固定プラテン２とリアプラテン３間には、可動プラテン４が配置されている。また、リアプラテン３と可動プラテン４間にはトグル機構６が配設され、該トグル機構６の駆動によって、可動プラテン４はタイバー５及びベースフレーム１の上面にガイドされて前後進（図１中左右方向）し、固定プラテン２と可動プラテン４に取り付けられた金型（図１では図示せず）の開閉、型締めを行う。
【００１２】
トグル機構６のクロスヘッド７にはナットが固定されており、該ナットと螺合するボールねじ８がリアプラテン３に回転自在で軸方向移動不能に軸支されている。該ボールねじ８の一端に取り付けられた従動プーリ９と、リアプラテン３に設けられている図示していない型締め用サーボモータのモータ軸に取り付けられた駆動プーリ１０間にはタイミングベルト１１がかけられている。この型締め用サーボモータを駆動すれば、駆動プーリ１０、タイミングベルト１１、従動プーリ９を介してボールねじ８が回転し、該ボールねじ８と螺合するナットが軸方向に前後進し、該ナットと一体のクロスヘッド７が前後進して、トグルリンクを伸縮させて可動プラテン４を前後進させ、金型の開閉、型締めを行う。
【００１３】
又、各タイバー５の後端部（図１中左側）にはねじが切られ、該ねじと螺合するナットと歯車が一体となった回転部材１４がリアプラテン３に回転自在で軸方向移動不能に取り付けられている。該回転部材１４は、リアプラテン３に設けられた型厚調整用のモータ１２により歯車伝動機構１３を介して駆動されるようになっている。金型の厚さ、及び設定型締力に応じてリアプラテン３の位置を調整する必要があるが、この場合、型厚調整用のモータ１２を駆動することにより、歯車伝動機構１３により回転部材１４を回転させることにより、リアプラテン３をタイバー５に沿ってベースフレーム１の上面を摺動させて前後進させ、トグル機構６をロックアップ（トグル機構６のトグルリンクを伸長させて型締力を発生させるトグル機構６のトグルリンク状態）したとき、設定型締力が発生するようにリアプラテン３の位置を調整する。
【００１４】
リアプラテン３は型厚調整のために移動させる必要があり、本実施形態では、このリアプラテン３を支え摺動可能にする構造をスライドプレート１５等によって構成している。  図２は、図１の矢視Ａ−Ａで見たリアプラテン３がベースフレーム１で支持される部分の断面図である。ベースフレーム１にはスライドプレート受け部材１６がその一部として構成されている。該スライドプレート受け部材１６の上にはスライドプレート１５が載っている。スライドプレート１５の上面には、ジャッキアップボルト１７を受け、係合する係合穴２０がリアプラテン３の移動方向（前後進方向で図１における左右方向）２個所以上（図では２個所）に設けられている。そして、リアプラテン３の下部にはジャッキアップボルト１７と螺合するボルト穴２１が設けられている。
【００１５】
さらに、スライドプレート１５には、係合穴２０の中心にタップ穴２２が設けられ、また、ジャッキアップボルト１７の中心にも固定ボルト１８を挿通させる貫通穴２３が設けられている。ジャッキアップボルト１７の貫通穴２３に固定ボルト１８を通しタップ穴２２と固定ボルト１８を螺合させてジャッキアップボルト１７をスライドプレート１５側に押し付けるように取り付けられている。なお、図中符号１９は座金である。
【００１６】
このスライドプレート１５と複数のジャッキアップボルト１７等からなるリアプラテン３の摺動機構は、リアプラテン３の両側（リアプラテン３の摺動方向に対して垂直方向の両端）に設けられている。なお、必要に応じてリアプラテン３の中心部にもこの摺動機構を付加してもよい。本実施形態では、リアプラテン３の両側にこの摺動機構が設けられ、各摺動機構は、リアプラテン３の移動方向に沿って２個所にジャッキアップボルト１７が設けられ、リアプラテン３はこの両側２個所の合計４つのジャッキアップボルト１７の底面がスライドプレート１５の係合穴２０の底面と当接することによってスライドプレート１５を介して支えられている。
【００１７】
型厚調整用モータ１２を駆動すれば、スライドプレート１５はリアプラテン３と共にスライドプレート受け部材１６面を摺動して移動することになる。  
リアプラテン３の倒れを矯正するための調整は、固定ボルト１８を緩め、ジャッキアップボルト１７を回動させることによって、スライドプレート１５とジャッキアップボルト１７の螺合位置を変え、スライドプレート１５とリアプラテン３間の距離ｄ１，ｄ２を調整する。リアプラテンの移動方向に沿って設けられたジャッキアップボルト１７の回動によってスライドプレート１５とリアプラテン３間の距離ｄ１，ｄ２をそれぞれ調整することによって、リアプラテン３の移動方向の倒れの調整を行う。
【００１８】
この実施形態では、固定ボルト１８を設けたがこの固定ボルト１８は必ずしも設ける必要はない。型厚調整用モータ１２の駆動によりリアプラテン３を移動させる力は、該リアプラテン３に螺合するジャッキアップボルト１７に伝達され、該ジャッキアップボルト１７はスライドプレート１５の係合穴２０に嵌合しているからスライドプレート１５に伝達され、リアプレート及びスライドプレート１５は一体的に、ベースフレーム１上のスライドプレート受け部材１６面を摺動することになる。又、リアプラテン３の倒れの調整も前後のジャッキアップボルト１７を回動させることによってリアプラテン３とスライドプレート１５間の距離ｄ１，ｄ２を調整することができるものである。
【００１９】
しかし、固定ボルト１８を設けない場合、上述したようにリアプラテン３は４つのジャッキアップボルト１７の下面がスライドプレート１５に当接し支持されるだけである。この支持面積が小さいため、金型の開閉動作時の微振動に対して不安定である。通常、ボルト等の緩みは緩み止めナット等を使用して、それを防止しているが、緩みを防止しても、支持面積の小さい面接触による支持であることから、不安定さを改善することは難しい。
【００２０】
そのため、本実施形態では、固定ボルト１８を用いて、リアプラテン３、ジャッキアップボルト１７、固定ボルト１８、スライドプレート１５を一体化したものである。これによって、リアプラテン３は、スライドプレート１５により強固に固定され、リアプラテン３をスライドプレート１５の底面全体で支持できるようになり、金型開閉時においてもリアプラテン３の姿勢は安定する。なお、固定ボルト１８を設ける場合には、固定ボルト１８を介して、スライドプレート１５、ジャッキアップボルト、リアプラテンが一体的となるから、係合穴２０を必ずしも設ける必要はない。
【図面の簡単な説明】
【００２１】
【図１】本発明の一実施形態の型締め機構の概要説明図である。
【図２】図１の矢視Ａ−Ａの断面図である。
【符号の説明】
【００２２】
１  ベースフレーム
２  固定プラテン
３  リアプラテン
４  可動プラテン
５  タイバー
６  トグル機構
７  クロスヘッド
８  ボールねじ
９  従動プーリ
１０  駆動プーリ
１１  タイミングベルト
１２  型厚調整用モータ
１３  歯車伝動機構
１４  回転部材
１５  スライドプレート
１６  スライドプレート受け部材
１７  ジャッキアップボルト
１８  固定ボルト
１９  座金
２０  係合穴
２１  ボルト穴
２２  タップ穴
２３  貫通穴
【図１】
2005289002.tif 000003
【図２】
2005289002.tif 000004